(57)【特許請求の範囲】
【請求項１】
半導体基板を処理するための反応チャンバに適用される温度制御された構成部品であって、
ＲＦ電力が供給されてプロセス・ガスをプラズマ状態に励起する円形のシャワーヘッド電極（２０）と、
前記シャワーヘッド電極の上面（３０）との間にガス分配チャンバ（２３）を形成するように、当該シャワーヘッド電極の外周部が端部（２８）によって固定され、冷却されているヒートシンク（２２）と、
前記ガス分配チャンバ内において前記シャワーヘッド電極の上面とヒートシンクの底面との間に延在し、当該シャワーヘッド電極とヒートシンクとに熱接触している伝熱部材（３６）と、を有し、
前記ヒートシンクと前記シャワーヘッド電極との間に設置されたバッフルアセンブリを更に備え、当該バッフルアセンブリは第１および第２バッフルプレートを含み、
前記伝熱部材は、その外周部が全て前記端部より内方に配置され、前記シャワーヘッド電極の外周部より温度の上昇が速い、当該シャワーヘッド電極の上面の中央部と前記ヒートシンクの底面とに熱接触して、前記シャワーヘッド電極の温度分布を制御することを特徴とする構成部品。
【請求項２】
前記プロセスガスが、１個または複数のガス供給口を通して前記ガス分配チャンバへ供給され、前記端部は環状リングを有する請求項１に記載の構成部品。
【請求項３】
前記伝熱部材が金属の一体構造を備える請求項１に記載の構成部品。
【請求項４】
前記伝熱部材が鋳造金属体である請求項１に記載の構成部品。
【請求項５】
前記伝熱部材がシリコンの成形体である請求項１に記載の構成部品。
【請求項６】
前記伝熱部材が金属複合材である請求項１に記載の構成部品。
【請求項７】
前記伝熱部材が前記シャワーヘッド電極の上面に突出している請求項１に記載の構成部品。
【請求項８】
前記伝熱部材が結合材料で前記シャワーヘッド電極の上面に結合されている請求項１に記載の構成部品。
【請求項９】
前記結合材料が金属材料または熱伝導性接着剤である請求項８に記載の構成部品。
【請求項１０】
前記伝熱部材が前記ヒートシンクの底面に突出している請求項１に記載の構成部品。
【請求項１１】
前記伝熱部材が結合材料で前記ヒートシンクの底面に結合されている請求項１に記載の構成部品。
【請求項１２】
前記結合材料が金属材料または熱伝導性接着剤である請求項１１に記載の構成部品。
【請求項１３】
前記伝熱部材が同心円状に配置された環状リングを備える請求項１に記載の構成部品。
【請求項１４】
前記リングが、その中を貫通するガス通路を備える請求項１３に記載の構成部品。
【請求項１５】
冷媒が前記ヒートシンクの流路を通過する請求項１に記載の構成部品。
【請求項１６】
前記第１および第２バッフルプレートが前記伝熱部材の形状を有する成形開口を含み、当該成形開口が、前記伝熱部材の周囲に密に嵌合している請求項１に記載の構成部品。
【請求項１７】
前記伝熱部材が、第１、第２、および第３成形体を備え、当該第１成形体は、前記シャワーヘッド電極上面の中央領域と前記第１バッフルプレート下部に熱接触しており、当該第２成形体は、前記第１バッフルプレート上部と前記第２バッフルプレート下部に熱接触しており、当該第３成形体は、前記第２バッフルプレート上部および前記ヒートシンクの底面に熱接触している請求項１に記載の構成部品。
【請求項１８】
プロセスガスが、バッフルプレートを通り抜けて当該バッフルプレートと外周部を含むシャワーヘッド電極との間のガスプレナム内へ入り、次いで当該シャワーヘッド電極の開口を通り抜けてプラズマチャンバ内へ入るプラズマチャンバ用構成部品において、
前記シャワーヘッド電極の上面（３０）との間にガス分配チャンバ（２３）を形成するように、当該シャワーヘッド電極の外周部が端部（２８）によって固定され、冷却されている支持部材（２２）と、
前記シャワーヘッド電極の中央部と前記バッフルプレート上方の前記支持部材との間に熱流路を設け、前記シャワーヘッド電極の温度分布を制御するように、前記シャワーヘッド電極の外周部より温度の上昇が速い、当該シャワーヘッド電極の上面の中央部と前記支持部材の底面とに熱接触している伝熱部材（３６）と、を備え、
前記伝熱部材の外周部が全て前記端部より内方に配置される構成部品。
【請求項１９】
請求項１に記載の構成部品を含むプラズマチャンバ内で半導体基板を処理する方法であって、
前記シャワーヘッド電極中にプロセスガスを流すこと、
前記シャワーヘッド電極に高周波電力を供給することによって、当該プロセスガスをプラズマ状態に励起すること、および
前記半導体基板の露出表面をプラズマで処理することを含む方法。
【発明の詳細な説明】
【０００１】
（発明の分野）
本発明は、半導体集積回路基板を処理するためのリアクタに関し、特にリアクタの加熱される部材全体の温度分布を制御する構成部品に関する。
【０００２】
（発明の背景）
半導体の加工処理には、導電材料、誘電材料、および半導体材料の化学的気相成長（ＣＶＤ）などの付着工程、こうした層のエッチング、フォトレジスト・マスク層のアッシングなどが含まれる。エッチングの場合は、通常プラズマ・エッチングを用いて金属材料、誘電材料、および半導体材料をエッチングする。
【０００３】
半導体基板のプラズマ処理用シャワーヘッド電極が、本発明の譲受人に譲渡された米国特許第５，０７４，４５６号、第５，４７２，５６５号、第５，５３４，７５１号、および第５，５６９，３５６号に開示されている。その他のシャワーヘッド電極ガス分配システムが、米国特許第４，２０９，３５７号、第４，２６３，０８８号、第４，２７０，９９９号、第４，２９７，１６２号、第４，５３４，８１６号、第４，５７９，６１８号、第４，５９０，０４２号、第４，５９３，５４０号、第４，６１２，０７７号、第４，７８０，１６９号、第４，８５４，２６３号、第５，００６，２２０号、第５，１３４，９６５号、第５，４９４，７１３号、第５，５２９，６５７号、第５，５９３，５４０号、第５，５９５，６２７号、第５，６１４，０５５号、第５，７１６，４８５号、第５，７４６，８７５号、および第５，８８８，９０７号に開示されている。
【０００４】
集積回路製作における共通要件は、誘電材料にコンタクトやヴィア（ｖｉａｓ）などの開口をエッチングすることである。誘電材料には、フッ素化酸化ケイ素（ＦＳＧ）などのドープした酸化ケイ素、二酸化ケイ素などの非ドープの酸化ケイ素、ホウリンケイ酸ガラス（ＢＰＳＧ）やリンケイ酸ガラス（ＰＳＧ）などのケイ酸ガラス、ドープまたは非ドープの熱成長させた酸化ケイ素、ドープまたは非ドープのＴＥＯＳ堆積酸化ケイ素などが含まれる。誘電性のドーパントには、ホウ素、リン、および／またはヒ素が含まれる。多結晶シリコン、アルミニウム、銅、チタン、タングステン、モリブデンなどの金属またはこれらの合金、窒化チタンなどの窒化物、チタンシリサイド、コバルトシリサイド、タングステンシリサイド、モリブデンシリサイドなどの金属シリサイドなど導電層または半導体層の上に、誘電体を重ねることができる。平行平板型プラズマ・リアクタを酸化ケイ素の開口のエッチングに用いるプラズマ・エッチング技術が、米国特許第５，０１３，３９８号に開示されている。
【０００５】
米国特許第５，７３６，４５７号が、シングルおよびデュアル「ダマシン」メタライゼーション・プロセスを記載している。「シングル・ダマシン」手法では、ヴィアおよび導線が別々のステップで形成される。すなわち、誘電層中に導線またはヴィア用のメタライゼーション・パターンをエッチングし、誘電層にエッチングされた溝またはヴィア・ホール中に金属層を充填し、化学機械平坦化（ＣＭＰ）またはエッチ・バック工程によって過剰の金属を除去する。「デュアル・ダマシン」手法では、ヴィアおよび導線用のメタライゼーション・パターンを誘電層にエッチングし、一回の金属充填工程および過剰金属除去工程で、エッチングされた溝およびヴィア開口に金属を充填する。
【０００６】
エッチング工程中、シャワーヘッド電極は熱くなる。さらに、電極の表面全体で、温度が著しく異なることがある。シャワーヘッド電極の中心と端部では温度差が約１００℃以上、例えば２００℃になることがある。不均一な温度分布によって、プラズマ密度および／またはプロセス・ガスの分配が不均一になり、ウエーハのエッチングが不均一になる恐れがある。端部を冷却するシャワーヘッド装置では、基板の寸法が大きくなるにつれて、この問題はより大きくなる。シャワーヘッドの直径が増大するにつれて、シャワーヘッド電極の中心と端部の間の温度差がより顕著になるからである。
【０００７】
１２インチ（３００ｍｍ）の大きなウエーハをシャワーヘッド電極でエッチングするときは、プロセス・ガスを制御してプラズマ分布を均一にすることは一層困難になる。例えば、より大きな面積にエッチング・ガスを分配するためには、バッフル内およびシャワーヘッド電極内の開口の数を著しく増大しなければならない。さらに、バッフル内の開口数およびバッフルの数が増大するにつれて、こうしたガス分配装置を製造する複雑さとコストが非常に増大する。さらに、ウエーハ表面積の増大に比例してプロセス・ガスの流速を増大しなければならないので、処理比率（ｐｒｏｃｅｓｓｉｎｇ  ｒａｔｉｏ）、選択性、フィーチャ形状および寸法に関する均一性を達成するのがより困難になる。さらに、シャワーヘッドの寸法が増大すると、シャワーヘッド全体により大きな温度勾配がもたらされ、不均一な基板処理の原因となるおそれがある。
【０００８】
（発明の概要）
本発明によれば、シャワーヘッド電極などの加熱部材全体の温度差をかなり減少することができる。シャワーヘッド電極の場合には、電極全体の温度分布を制御することによって半導体基板の一層均一な処理が可能になる。さらに、シャワーヘッド電極が到達する最高温度を低下することができるので、電極の有効寿命を長くすることができる。
【０００９】
本発明の一実施形態では、半導体基板処理用の反応チャンバの構成部品には、ヒートシンク（例えば支持部材）、加熱部材（例えば電力式シャワーヘッド電極）、およびヒートシンクと加熱部材の間の伝熱部材が含まれる。伝熱部材は、加熱部材の高温領域からヒートシンクへの熱流路を提供する。
【００１０】
例えば、平行平板型プラズマエッチング工程では、シャワーヘッド電極の中心で発生した熱は、伝熱部材を通って支持部材へ伝わり、電極の中心と電極の周辺部との温度差を小さくする。したがって、基板処理中、プラズマは制御されて、および／またはほぼ均一に分布している。
【００１１】
本発明の目的および利点は、以下の詳細な説明を図面と併せ読むことによって理解されよう。
【００１２】
（好ましい実施形態の詳細な説明）
本発明をよりよく理解するために、以下の詳細な説明では添付した図面を参照する。図面では、本発明の好ましい代表的実施形態を図示し記述する。また、図面中の同様な要素を識別するために全体を通して同じ参照番号を使用する。
【００１３】
本発明は、シリコン・ウエーハやフラット・パネル・ディスプレイなど半導体基板を処理するための、反応チャンバの構成部品の温度制御達成における改良を提供する。こうした構成部品には、スパッタ・ターゲット、電力式シャワーヘッド電極、シャワーヘッド、基板支持体などが含まれる。こうした構成部品は、冷媒を通すことによって冷却できることもあり、または冷却できないこともある。以下、本発明を、電力式シャワーヘッド電極に関して説明する。
【００１４】
平行平板型プラズマ・エッチング・チャンバにおいて基板を処理している間、シャワーヘッド電極の表面温度は、例えば電極に印加される電力から生じる抵抗発熱のために上昇する。発生した熱は、ヒート・シンクの周辺部へ流れる（周辺部で、電極とヒート・シンクは互いに固定されている）。しかし、電極中央部は、ヒート・シンクと直接接触していないので、電極中央部の温度が電極周辺部よりずっと高くなることがあり、基板処理を十分に制御することが困難になる。さらに、シャワーヘッドの発熱のために、ターゲットまたは基板、シャワーヘッド、あるいは基板またはターゲットの下の表面では、ある部分が他の部分より熱くなることがある。本発明は、こうした表面の温度均一性を改良する機構を提供する。
【００１５】
以下の説明では、プラズマ反応チャンバのシャワーヘッド電極または基板支持体の温度分布制御に関して本発明を論ずる。ただし、本発明の原理は、半導体処理用反応チャンバのその他の加熱部材の温度分布制御にも利用できる。
【００１６】
プラズマ・エッチング工程用の代表的な反応チャンバ構成部品を図１に示す。この図で、シャワーヘッド電極２０は、冷却された支持部材２２に固定されてガス分配チャンバ２３を画定している。支持部材２２の温度は、支持部材２２内の冷却用チャネル２４中に冷媒を循環させることによって制御することができる。
【００１７】
シャワーヘッド電極２０は、好ましくはシリコン製であるが、アルミニウム、黒鉛、炭化ケイ素など適当な導電性材料から作ることができ、複数の開口２６中をガスが通過する。図１に示した装置では、シャワーヘッド電極２０は、電極と一体化した端部２８を有する。ただし、図３に示すように、端部２８に、円形のシャワーヘッド板の外端部に接合した別の支持リングを備えることもできる。どちらの場合も、外端部２８は、熱的電気的に支持部材２２と接触している。ガス分配チャンバ２３は、シャワーヘッド電極２０の上面３０、端部２８、および支持部材２２の下面３２によって画定される。プロセス・ガスを、中央ガス供給口２９からチャンバ２３へ供給する。ただし、プロセス・ガスを、電極の周辺部へ、かつ／または２つ以上のガス供給口から供給することもできる。ガスは、ガス分配チャンバ内を下方へ流れ、シャワーヘッド電極２０の開口２６を通過する。
【００１８】
プロセス・ガスをプラズマ状態に励起するために、電力（一般には高周波電力、ただし直流電力も使用できる）をシャワーヘッド電極２０に供給する。シャワーヘッド電極２０に電力を加えると、抵抗発熱が起こり、シャワーヘッド電極２０の温度が上昇する。電極２０の周辺だけから除熱した場合は、シャワーヘッド電極２０を通って端部２８へ横方向に伝熱する速度が遅いので、シャワーヘッド電極２０の中央領域３４の温度が速く上昇してしまう。その結果、シャワーヘッド電極２０の中央部３４とシャワーヘッド電極２０の周辺部２８の間に、大きな温度差（例えば約１００〜３００℃）が発生することがある。この大きな温度差は、シャワーヘッド電極２０を通るプロセス・ガスの均一な分配、および／またはプラズマにするための電力の均一な分布を妨げる。
【００１９】
本発明の第１実施形態を図２に示す。同図で、本発明の構成部品３５は、シャワーヘッド電極２０の上面３０の中央領域３４と温度制御された支持部材２２の底面３２との間に、１個または複数の伝熱部材３６を含む。プラズマ処理の間、伝熱部材３６を通して、温度制御された支持部材２２へ熱が伝わる。このようにして、シャワーヘッド電極２０の中央領域３４と端部２８との温度差を、著しく減少させることができる（例えば、電極の端部と中央部の間で、温度差５０℃未満、好ましくは１５〜２０℃未満とすることができる）。この結果、ウエーハがシャワーヘッド電極の下にある、単一ウエーハ・プラズマ・エッチングなどの半導体処理で、より均一な処理を達成することができる。
【００２０】
伝熱部材３６は、熱的電気的に伝導性の材料で作成することが好ましい。ただし、導電性ではないが、熱伝導性の材料も使用できる。適当な材料には、ＳｉＣ、Ｓｉ3Ｎ4、ＡｌＮなどのセラミック材料、Ａｌ、Ｃｕ、ステンレス鋼、Ｍｏなどの金属、強化金属（例えば、炭素ファイバ−アルミニウムまたは銅、ホウ素ファイバ−アルミニウム、ＳｉＣ粒子−アルミニウムなど）などの金属複合材が含まれる。例えば、伝熱部材３６は、所望の形状に機械加工したアルミニウム鋳造体とすることができる。
【００２１】
図２の実施形態は、シャワーヘッド電極２０の上面３０へエッチング・ガスをより均一に分配する役割を果たすバッフル・アセンブリを含む。バッフル・アセンブリは、シャワーヘッド電極２０と支持部材２２の間に設置した、１個または複数のバッフル・プレート４０を含むことができる。バッフル・プレート４０は、アルミニウム製とすることができ、１個または複数の切り抜き部４２を含み、類似の形状の伝熱部材３６を収容する。伝熱部材３６は、支持部材２２の底面３２とシャワーヘッド電極上面の間の、切り抜き部が画定する空間内に嵌合する。
【００２２】
図２に示すように、伝熱部材３６は切欠き部４４を含み、これによって、ガス供給口２９からバッフル・プレートが画定したプレナム中へ、プロセス・ガスが流れることができる。その結果、入口２９から供給されたガスは、バッフル・プレート４０の表面全体に分配される。
【００２３】
図３は、本発明による構成部品３５の第２実施形態を示す。この実施形態では、バッフル・プレート４０を切り欠いて伝熱部材３６を収容する必要はない。その代わり、伝熱部材３６は、支持部材２２、バッフル・プレート４０、およびシャワーヘッド電極２０の間に挟まれている。伝熱部材３６は、貫通したガス流路を含むことができ、入口２９からのガスを、バッフル・プレート４０が画定したプレナム内に分配することができる。別法としては、伝熱部材３６を中実とし、バッフル・プレートに溝または流路を設けて、バッフル・プレートが画定したプレナム中を、プロセス・ガスが自由に循環できるようにすることもできる。
【００２４】
本発明の構成部品３５の第３実施形態を図４に示す。この場合は、反応チャンバは、支持部材２２とシャワーヘッド電極２０の間にバッフル・プレートを含んでいない。第３実施形態では、伝熱部材３６は、シャワーヘッド電極２０と支持部材２２の間に画定されたガス分配チャンバ中に配置されている。図４に示すように、伝熱部材３６は切欠き部４４を有しており、伝熱部材３６の間、および支持部材２２の表面全体、シャワーヘッド電極２０の表面全体をプロセス・ガスが流れることができるようになっている。
【００２５】
シャワーヘッド電極２０からの除熱を促進するために、伝熱部材３６は、支持部材２２の底面３２およびシャワーヘッド電極２０の上面３０のどちらとも熱接触がきわめて良好であることが好ましい。伝熱部材３６、加熱部材（例えばシャワーヘッド電極２０）、およびヒート・シンク（例えば支持部材２２）の間には間隙がないことが理想的である。これら部品間の良好な熱接触は、シャワーヘッド電極２０、伝熱部材３６、および支持部材２２を、対合面を備えるように製作すること、伝熱部材の両面にインジウム、銀などの金属材料のガスケットなど熱伝導性材料を設けること、および／または、金属材料または、電気および／または熱伝導性の粒子を含有したエラストマなど導電性接着剤を、シャワーヘッド電極２０の上面３０に結合することなど、様々な方法によって確実なものにすることができる。
【００２６】
図４Ａにより詳細に示すように、シャワーヘッド電極２０と支持部材２２の間に挟まれた伝熱部材３６は、同心円状に配置されたアニュラ・リングである。このリングは、切欠き部４４を含んでおり、プロセス・ガスがガス分配チャンバ全体に流れることを可能にする。図４および図４Ａには３個のリングが示されているが、所望の伝熱効果を達成するために、リングの数を増加または減少することができる。さらに、この１個または複数の伝熱部材は、リング以外の形状でもよい（例えば伝熱部材が、中心のハブと放射状に延在するアームの形状でも、または他の適当な形状でもよい）。伝熱部材３６の配置は、シャワーヘッド電極２０の上面３０の最小限を覆うだけであって、一方、所望の伝熱効果は今までどおり達成されていることが理想である。
【００２７】
好ましくは、バッフル・プレートを含んでいないガス分配チャンバ内により均一にガスを分配するために、構成部品３５は、複数のガス供給口３９を含むことができる。こうした装置では、ガス圧力は各ガス供給口３９の出口で最高になるので、複数のガス供給口３９を設けることによって、単一のガス供給口と比べて、ガス圧力分布の一層均一な分配を得ることが可能になる。
【００２８】
図５は、本発明の構成部品３５の第４実施形態を示す。この場合は、伝熱部材３６は、基板支持表面３７と支持部材４１の間に置かれている。表面３７は、底部電極の一部であってもよく、この電極は、付随する静電クランプ（ＥＳＣ）を備えていてもそうでなくてもよい。伝熱部材３６を用いて、表面３７の一部から支持部材４１へ熱を取り去って、表面３７全体の温度分布を制御することができる。このような場合には、基板支持体では、Ｓｉウエーハなどの基板を冷却するために一般に用いられるＨｅバック冷却装置を省くことができる。
【００２９】
上記の実施形態において、伝熱部材３６は、独立した部品でもよく、あるいは、加熱部材（例えばシャワーヘッド電極２０）またはヒート・シンク（例えば支持部材２２）と一体化してもよい。図６は、シャワーヘッド電極と一体化した伝熱部材３６の例を示し、図７は、支持部材２２と一体化した伝熱部材３６の例を示す。結合材料を使う場合は、この結合材料は、熱的な、および任意選択で電気的な伝導性が良好で、かつ真空の環境に適合しているべきである（例えば、蒸気圧が低く、この材料が半導体処理の環境を著しく汚染しないこと）。適当な結合材料には、エラストマまたはエポキシなどの伝導性接着剤、およびはんだ材料またはろう付け材料が含まれる。
【００３０】
したがって、本発明では、シャワーヘッド電極装置の場合、シャワーヘッド電極の中央領域３４と温度制御された支持部材２２との直接または間接の面対面接触を達成することができる。それによって、本発明は、シャワーヘッド電極２０の中央領域３４と端部２８との温度差を制御することができる。シャワーヘッド電極２０全体のこうした温度制御によって、処理を受ける基板全体に、より制御されたプラズマ密度および／またはガスの流れ／圧力を得ることができる。
【００３１】
本発明を、好ましい実施形態に関して説明した。しかし、本発明の趣旨から逸脱することなく、上記以外の具体的な形態で本発明を実施できることを、当業者なら理解するであろう。好ましい実施形態は例示的なものであり、いかなる点からも限定的なものとみなすべきではない。本発明の範囲は、上記の説明によってではなく、添付の特許請求の範囲によって与えられるものであり、特許請求の範囲内に入るすべての変形形態および均等物はその中に含まれるものである。
【図面の簡単な説明】
【図１】  単一ガス供給口を含む、ガス分配システムの一例の断面図である。
【図２】  本発明の第１実施形態の分解斜視図である。
【図３】    本発明の第２実施形態の断面図である。
【図４】  本発明の第３実施形態の分解斜視図である。
【図４Ａ】  伝熱部材が同心リングを含む、図４に示した伝熱部材の斜視図である。
【図５】  本発明の第４実施形態の分解斜視図である。
【図６】  支持部材と一体の伝熱部材の斜視図である。
【図７】  シャワーヘッド電極と一体の伝熱部材の斜視図である。
【図１】
0004970679.tif 000002
【図２】
0004970679.tif 000003
【図３】
0004970679.tif 000004
【図４】
0004970679.tif 000005
【図４Ａ】
0004970679.tif 000006
【図５】
0004970679.tif 000007
【図６】
0004970679.tif 000008
【図７】
0004970679.tif 000009